(57)【要約】【課題】電動ドライバー本体にネジ自動補給機構を高速取り付けおよび取り外し可能にする装置を提供する。【解決手段】連接主体１０と嵌合ユニット２０と二つの係合セット３０とを備える。連接主体１０は互いに連接する第一連接部１１、係止部１２、第二連接部１３、およびこれらを貫通する設置孔１４を備え、第一連接部１１はネジ自動補給機構に嵌合され、係止部１２は外側の二つの向かい合う位置に設置孔１４と繋がる係止孔１２１を有し、第二連接部１３は内壁に二つの係合ブロック１３１を有する。嵌合ユニット２０は内部に電動ドライバー本体に嵌合される嵌合孔２１を有し、外側に係合ブロック１３１に係合される二つの係合区域２２と二つの係止槽２２３とを有する。係合セット３０は係止部１２の外側の所定の相対的な位置に別々に連接され、外力作用により係合固定位置と解放位置との間を往復移動可能である。【選択図】図１
0003124236.tif 000002
【実用新案登録請求の範囲】
【請求項１】
互いに連接する第一連接部、係止部、第二連接部、および第一連接部と係止部と第二連接部とを貫通する設置孔を有し、前記第一連接部はネジ自動補給機構に嵌合され、係止部は外側の二つの向かい合う位置に設置孔と繋がる係止孔を別々に有し、第二連接部は内壁に二つの係合ブロックを有する連接主体と、
内部に電動ドライバー本体に嵌合される嵌合孔を有し、外側に所定の形を呈する二つの係合区域と二つの係止槽とを有し、前記係合区域は係合ブロックに係合される嵌合ユニットと、
係止部の外側の所定の相対的な位置に別々に連接されることで外力作用により係合固定位置と解放位置との間を往復移動可能である二つの係合セットとを備え、
係合セットが係合固定位置に据えられる際、係合セットは一端が係止孔から係止槽に入り込むため嵌合ユニットと連接主体とを連接および固定可能であり、係合セットが解放位置に据えられる際、係合セットは係止槽から分離するため嵌合ユニットと連接主体とを分離させることが可能であることを特徴とする電動ドライバー本体にネジ自動補給機構を高速取り付けおよび取り外し可能にする装置。
【請求項２】
第一連接部の外側にはネジ自動補給機構の連接端の上のピンを差し込み、相互連接の状態を構成するための若干の係合孔を有することを特徴とする請求項１に記載の電動ドライバー本体にネジ自動補給機構を高速取り付けおよび取り外し可能にする装置。
【請求項３】
係止部は係止孔の上方側辺に連接槽を有し、係合ユニットは連接槽中に装着され連接状態を構成するための連接部を有することを特徴とする請求項１に記載の電動ドライバー本体にネジ自動補給機構を高速取り付けおよび取り外し可能にする装置。
【請求項４】
係止部は外側の二つの向かい合う位置に作用部を別々に有し、係合セットは係合ユニットと弾性ユニットとを有し、弾性ユニットは作用部（１２３）上を貫通し囲み、係合ユニットは係止部に連接されることで弾性ユニットの一端を係止部に突き当たらせ、弾性ユニットの他端を係合ユニットに突き当たらせ、かつ弾性ユニットの弾力により係合ユニットを係合固定位置に移動させることが可能であることを特徴とする請求項１に記載の電動ドライバー本体にネジ自動補給機構を高速取り付けおよび取り外し可能にする装置。
【請求項５】
係合ユニットは受力部、係合固定部、及び連接部を備え、
受力部は使用者の指で押され、
係合固定部は受力部の一端側辺に突出するように形成され、また係合セットが係合固定位置に据えられる際に係合固定部は係止槽中に入り込み、係合セットが解放位置に据えられる際に係合固定部は係止槽から分離し、
連接部は受力部の両側辺に突出するように形成され、係止部に連接されることを特徴とする請求項４に記載の電動ドライバー本体にネジ自動補給機構を高速取り付けおよび取り外し可能にする装置。
【請求項６】
弾性ユニットは所定の形を呈する弾性片であることを特徴とする請求項４に記載の電動ドライバー本体にネジ自動補給機構を高速取り付けおよび取り外し可能にする装置。
【請求項７】
嵌合ユニットの内部には電動ドライバー本体の結合端に嵌合され、かつ所定の形を呈する嵌合孔を有することを特徴とする請求項１に記載の電動ドライバー本体にネジ自動補給機構を高速取り付けおよび取り外し可能にする装置。
【請求項８】
係合区域は、誘導槽と固定槽とを有し、誘導槽は嵌合ユニットの一端縁部から軸方向に沿い所定の幅と距離とで延伸して形成され、固定槽は誘導槽の末端から径方向に沿い所定の幅と距離とで延伸して形成されるため、係合ブロックが固定槽に据えられる際に嵌合ユニットと連接主体とが軸方向に沿いスライドすることを抑制可能であり、係合ブロックが誘導槽に据えられる際に嵌合ユニットと連接主体とが径方向に沿いスライドすることを抑制可能であることを特徴とする請求項１に記載の電動ドライバー本体にネジ自動補給機構を高速取り付けおよび取り外し可能にする装置。
【考案の詳細な説明】
【技術分野】
【０００１】
本考案は、電動工具、詳しく言えば電動ドライバー本体にネジ自動補給機構を高速取り付けおよび取り外し可能にする装置に関するものである。
【背景技術】
【０００２】
一般的にネジを締める場合に、伝統的な手動ドライバーよりも電動ドライバーを使うほうが便利である。またネジを抜く場合も、直接電動ドライバーを使用するのが非常に便利な方法である。しかし、大量のネジを締める場合、電動ドライバー本体とネジ自動補給機構とを連結する必要がある。これによりネジを自動補給可能な状況下で大量のネジを締める作業を進めることが可能である。
【０００３】
現今の電動ドライバー本体とネジ自動補給機構の間に組立作業を施す場合、ナットを介し電動工具とネジ自動補給機構とを互いに回転させ接合することにより互いに結合する作業を進める。
しかしこのような構造により電動工具とネジ自動補給機構との間を組み立てる場合、組立の過程が非常に複雑なだけでなく組立と分解にかなりの時間がかかるため、使用者において使用上の利便性が低い。
【考案の開示】
【考案が解決しようとする課題】
【０００４】
本考案の主な目的は電動ドライバー本体にネジ自動補給機構を高速取り付けおよび取り外し可能にする装置を提供することである。これにより電動ドライバー本体にネジ自動補給機構を取り付けるか或は取り外す作業を容易に進めることが可能である。
【課題を解決するための手段】
【０００５】
上述の目的を達成するために、本考案による電動ドライバー本体にネジ自動補給機構を高速取り付けおよび取り外し可能にする装置は、連接主体と嵌合ユニットと二つの係合セットとを備える。連接主体は互いに連接する第一連接部、係止部、第二連接部、および第一連接部と係止部と第二連接部とを貫通する設置孔を備え、そのうち第一連接部はネジ自動補給機構に嵌合され、係止部は外側の二つの向かい合う位置に設置孔と繋がる係止孔を別々に有し、第二連接部は内壁に二つの係合ブロックを有する。嵌合ユニットは内部に電動ドライバー本体に嵌合される嵌合孔を有し、外側に所定の形を呈する二つの係合区域と二つの係止槽とを有し、そのうち係合区域は係合ブロックに係合される。二つの係合セットは係止部の外側の所定の相対的な位置に別々に連接されることで外力作用により係合固定位置と解放位置との間を往復移動可能である。係合セットが係合固定位置に据えられる際、係合セットの一端を係止孔から係止槽に入り込ませることにより嵌合ユニットと連接主体を連接および固定することが可能である。係合セットが解放位置に据えられる際、係合セットを係止槽から分離させることにより嵌合ユニットと連接主体とを分離させることが可能である。
【考案を実施するための最良の形態】
【０００６】
以下、本考案の特徴と目的を実施例と図面に基づいて説明する。まず図面の説明は次の通りである。
図１は本考案の一実施例の分解斜視図である。
図２は図１に示す本実施例の取り付け後の斜視図である。
図３は図１に示す本実施例を使用し取り付け作業を進める状態を示す模式図である。
図４は図１に示す本実施例の係合固定状態を示す断面図である。
図５は図１に示す本実施例の解放状態を示す断面図である。
図６は図１に示す本実施例の分離可能な状態を示す断面図である。
【０００７】
図１及び図２に示すように、本考案の一実施例による電動ドライバー本体にネジ自動補給機構を高速取り付けおよび取り外し可能にする装置１００は連接主体１０と嵌合ユニット２０と二つの係合セット３０とを備える。
連接主体１０は一体成型され、かつ第一連接部１１、係止部１２、第二連接部１３を備え、そのうち係止部１２は二つの相対的な端部により第一連接部１１と第二連接部１３とに別々に連接されるため係止部１２は第一連接部１１と第二連接部１３との間に位置付けられる。また第一連接部１１、係止部１２、及び第二連接部１３の内部にはこれらを貫通する設置孔１４を有し、設置孔１４は第一連接部１１及び第二連接部１３の自由端と繋がることにより外部と繋がる。
【０００８】
第一連接部１１は矩形を呈し、その内部が設置孔１４により貫通される。また第一連接部１１は側壁の所定の位置に若干の係合孔１１１を有する。
係止部１２は一端により第一連接部１１の一端に連接され、その内部が設置孔１４により貫通される。また係止部は外側の二つの相対的な位置に係止孔１２１を別々に有し、係止孔１２１は設置孔１４と繋がる。また係止孔１２１は上方の二箇所に連接槽１２２を別々に有し、係止孔１２１の上方には更に作用部１２３を有する。作用部１２３は棒状を呈し外部に露出する。
【０００９】
第二連接部１３は係止部１２の他端に連接され、その断面が円形を呈し、その内部が設置孔１４により貫通される。また第二連接部１３は内壁の所定の位置に突出する係合ブロック１３１を二つ有する。
嵌合ユニット２０は中空の円筒状を呈し、内部に所定の形を呈する嵌合孔２１を有する。また嵌合ユニット２０は外壁の所定の位置に係合区域２２を二つ有し、係合区域２２は互いに繋がる誘導槽２２１と固定槽２２２とから形成され、誘導槽２２１は嵌合ユニット２０の一端の外側壁から軸方向に沿い所定の幅と距離とで延伸して形成され、固定槽２２２は誘導槽２２１の末端から径方向に沿い所定の幅と距離とで延伸して形成されるため、係合区域２２はＬ型を呈する。また誘導槽２２１は一側に係止槽２２３を有する。
【００１０】
係合セット３０は係合ユニット３１と弾性ユニット３２とを備え、係合ユニット３１は連接主体１０上に連接され、かつ同じ場所で所定の範囲内を移動することにより係合固定位置と解放位置との間を往復移動する押しボタンである。また係合ユニット３１は受力部３１１、係合固定部３１２、及び連接部３１３を備え、受力部３１１は所定の形を呈し、使用者の指で押される押しボタンである。係合固定部３１２は係合ユニット３１の一端側辺に突出するように形成され、連接部３１３は受力部３１１の両側辺に突出し、円柱を呈するように形成される。弾性ユニット３１は所定の形を呈する弾性片である。
【００１１】
以上が本考案の一実施例による電動ドライバー本体とネジ自動補給機構を高速取り付けおよび取り外し可能にする装置１００の主なユニットと形態についての説明であった。続いて取り付け方法と使用方法について説明する。
まず弾性ユニット３２の中段部を連接主体１０の作用部１２３上から貫通させ、係合ユニット３１の連接部３１３を連接主体１０の連接槽１２２中に別々に入り込ませる。このとき弾性ユニット３２の一端は連接主体１０の係止部１２の外部壁面に突き当たり、弾性ユニット３１の他端は係合ユニット３１の内部上に突き当たり、係合ユニット３１は別の外力作用を受けていない状態下で弾性ユニット３１の弾力により押し付けられ、受力部３１１は連接部３１３を中心に動き、係合固定部３１２は連接主体１０の係止部１２上に形成される係止孔１２１から設置孔１４に入り込む。これにより本実施例の装着後の所定の形態が完成する。
【００１２】
続いて本実施例の使用状態と使用方法について説明する。
まず電動ドライバー本体４０の結合端４１に嵌合ユニット２０の嵌合孔２１を嵌め、嵌合孔２１の所定の形態と結合端４１を介し緊密な嵌合を施す。続いて嵌合ユニット４１を第二連接部１３内の設置孔１４に入り込ませ、第一連接部１１内の係合ブロック１３１を嵌合ユニット２０の誘導槽２２１に沿いスライドさせ、そののち嵌合ユニット２０または連接主体１０のいずれか一つを所定の方向に沿い回転させることにより係合ブロック１３１を固定槽２２２へスライドさせる。回転過程では、係合ユニット３１の係合固定部３１２は嵌合ユニット２０の係止槽２２３に係合される。したがって、嵌合ユニット２０（係合固定部３１２と係止槽２２３の係合効果）により電動ドライバー本体４０と連接主体１０とを連結し、かつ弾力ユニット３２の弾力を受けて作用する係合ユニット３１と係止槽２２３の奥へ押し付けるように作用する係合固定部３１２とにより係合位置を安定させることが可能である。続いて第一連接部１１をネジ自動補給機構５０の連接端５１中に装着し、連接端５１上の弾性ピン５２を第一連接部１１の係合孔１１１中に挿入することにより第一連接部１１と連接端５２とを接合すれば、電動ドライバー本体４０にネジ自動補給機構５０を取り付ける作業が完了する。
【００１３】
続いて電動ドライバー本体４０からネジ自動補給機構５０を取り外す作業方法について説明する。
まず手で係合ユニット３１の受力部３１１を押す。このとき受力部３１１は外力作用により別の方向（弾力ユニットの作用力による移動方向の反対）に沿い移動し、係合固定部３１２を本来の係合固定位置から解放位置へ移動させ、係合固定部３１２と係止槽２２３とを分離させる。続いて嵌合ユニット２０を逆方向（本来の締める方向の反対）に沿い回転させ、係合ブロック１３１を固定槽２２２から誘導槽２２１へスライドさせ、電動ドライバー本体４０とともに嵌合ユニット２０を抜き出すことにより電動ドライバー本体４０と連接主体１０とを分離させ、そののちネジ自動補給機構５０上の弾性ピン５２を抜き出し、連接端５１から連接主体１０を取り出すことにより連接主体１０とネジ自動補給機構５０とを分離させ、最後に嵌合ユニット２０と電動ドライバー本体４０とを分離させれば取り外し作業が完了する。
【００１４】
また本実施例では、嵌合ユニットと電動ドライバー本体とは二つの単独の部品であるが、実際に直接電動ドライバー本体に嵌合ユニットを嵌めるように設計することも可能である。こうしても電動ドライバー本体のほかの作業に支障をきたすことがないため、別に取り外す必要がないだけでなくネジ自動補給機構の取り付け作業が簡単になり、よりいっそう速くなる。
【図面の簡単な説明】
【００１５】
【図１】本考案の一実施例による電動ドライバー本体にネジ自動補給機構を高速取り付けおよび取り外し可能にする装置の分解斜視図である。
【図２】本考案の一実施例による電動ドライバー本体にネジ自動補給機構を高速取り付けおよび取り外し可能にする装置の取り付け後の斜視図である。
【図３】本考案の一実施例による電動ドライバー本体にネジ自動補給機構を高速取り付けおよび取り外し可能にする装置の取り付け作業を進める状態を示す模式図である。
【図４】本考案の一実施例による電動ドライバー本体にネジ自動補給機構を高速取り付けおよび取り外し可能にする装置の係合固定状態を示す断面図である。
【図５】本考案の一実施例による電動ドライバー本体にネジ自動補給機構を高速取り付けおよび取り外し可能にする装置の解放状態を示す断面図である。
【図６】本考案の一実施例による電動ドライバー本体にネジ自動補給機構を高速取り付けおよび取り外し可能にする装置の取り外し可能な状態を示す断面図である。
【符号の説明】
【００１６】
１００  電動ドライバー本体とネジ自動補給機構を高速取り付けおよび取り外し可能にする装置、１０  連接主体、１１  第一連接部、１１１  係合孔、１２  係止部、１２１  係止孔、１２２  連接槽、１２３  作用部、１３  第二連接部、１３１  係合ブロック、１４  設置孔、２０  嵌合ユニット、２１  嵌合孔、２２  係合区域、２２１  誘導槽、２２２  固定槽、２２３  係止槽、３０  係合セット、３１  係合ユニット、３１１  受力部、３１２  係合固定部、３１３  連接部、３２  弾性ユニット、４０  電動ドライバー本体、４１  結合端、５０  ネジ自動補給機構、５１  連接端、５２  弾性ピン
【図１】
0003124236.tif 000003
【図２】
0003124236.tif 000004
【図３】
0003124236.tif 000005
【図４】
0003124236.tif 000006
【図５】
0003124236.tif 000007
【図６】
0003124236.tif 000008